(57)【特許請求の範囲】
【請求項１】
周波数が互いに異なる複数のサブキャリアで構成されるマルチキャリア信号を送信する無線送信装置であって、
送信データを複数のビットで構成される固定長の符号語に変換する変換手段と、
前記符号語に含まれる前記複数のビットの各々を、前記複数のビットの各々に対応して異なり、かつ、複数の通信相手に対して共通の拡散コードで拡散する拡散手段と、
拡散された前記複数のビットを通信相手毎に符号分割多重する多重手段と、
符号分割多重された前記複数のビットをチップ毎に分割する分割手段と、
分割された複数のチップの各々を前記サブキャリアの各々に割り当てて前記マルチキャリア信号を生成する生成手段と、
生成されたマルチキャリア信号を送信する送信手段と、
を具備することを特徴とする無線送信装置。
【請求項２】
請求項１記載の無線送信装置を搭載することを特徴とする無線通信基地局装置。
【請求項３】
周波数が互いに異なる複数のサブキャリアで構成されるマルチキャリア信号を送信する無線送信方法であって、
送信データを複数のビットで構成される固定長の符号語に変換し、
前記符号語に含まれる前記複数のビットの各々を、前記複数のビットの各々に対応して異なり、かつ、複数の通信相手に対して共通の拡散コードで拡散し、
拡散した前記複数のビットを通信相手毎に符号分割多重し、
符号分割多重した前記複数のビットをチップ毎に分割し、
分割した複数のチップの各々を前記サブキャリアの各々に割り当てた前記マルチキャリア信号を送信する、
ことを特徴とする無線送信方法。
【発明の詳細な説明】
【０００１】
【発明の属する技術分野】
本発明は、無線送信装置および無線送信方法に関する。
【０００２】
【従来の技術】
無線通信においては、近年、大量のデータを伝送したい要求が高まっており、この要求を満たすためにマルチキャリア伝送が注目されている。マルチキャリア伝送では、送信データを周波数が互いに異なる複数のサブキャリアに分配して伝送するため、伝送効率を高めることができる。このように、周波数が互いに異なる複数のサブキャリアで構成される信号をマルチキャリア信号という。
【０００３】
また、無線通信、特に移動体通信においては、最近、上記マルチキャリア伝送にＣＤＭＡ方式を組み合わせた通信方式が注目されている。中でも、送信データを周波数軸方向に拡散し、拡散後の複数のチップをそれぞれ異なるサブキャリアに割り当てたマルチキャリア信号を送信するＭＣ−ＣＤＭＡ方式が注目されている。ＭＣ−ＣＤＭＡ方式では、マルチキャリア伝送により伝送効率を高めることができるとともに、周波数軸方向への拡散を行うため周波数軸方向のダイバーシチ利得を得ることができる。つまり、伝送効率を高めつつ受信品質も向上させることができる。
【０００４】
さらに、無線通信においては、誤り率特性を向上させるために、ｍビットの送信データをＭビットの固定長の符号語（ｍ＜Ｍ）に変換して送信する技術がある。この固定長の符号語はいわゆるＭ系列の符号語であるため、このような固定長の符号語に変換する処理をＭ−ａｒｙ処理と呼ぶ。図４は、Ｍ−ａｒｙ処理に使用されるテーブル（Ｍ−ａｒｙテーブル）である。ここでは、４ビットの送信データを１５ビットのＭ系列の固定長の符号語に変換するものとする。図４に示すように、‘００００’〜‘１１１１’の１６種類の送信データは、各々対応する１５ビットのＭ系列の符号語に変換される。‘００００’に対応する符号語は全てのビットが‘１’であり、また、‘００１０’〜‘１１１１’の各々に対応する符号語は、‘０００１’に対応する符号語を１ビットずつ巡回シフトさせたものとなっている。これら１６種類の符号語は、相互相関が非常に低い。
【０００５】
ここで、ＭＣ−ＣＤＭＡ方式にＭ−ａｒｙ処理を適用する場合を考えると、その送信手順は以下のようになる。図５は、ＭＣ−ＣＤＭＡ方式にＭ−ａｒｙ処理を適用した場合の、従来の送信手順を示す図である。なお、ここでは、説明の便宜上、ｍ＝３ビットの送信データをＭ＝６ビットの符号語に変換するＭ−ａｒｙ処理を例に挙げて説明する。また、通信相手＃１への送信データ＃１と通信相手＃２への送信データ＃２の２つのデータを符号分割多重（コード多重）する場合について説明する。
【０００６】
図５に示すように、送信データ＃１と送信データ＃２は各々Ｍ−ａｒｙ処理されて、Ｍビットの固定長の符号語に変換される。
【０００７】
これらの符号語は、拡散率Ｎ（ここではＮ＝８）の拡散コードで周波数軸方向に拡散される。この拡散処理は、符号語に含まれる６ビットに対して１ビットずつ順に行われる。このとき、送信データ＃１に対応する符号語に使用される拡散コードと送信データ＃２に対応する符号語に使用される拡散コードは異なる。つまり、このとき使用される拡散コードは、通信相手毎に異なる。なお、ある１つの符号語に着目すると、その符号語に含まれる複数のビットに対しては同一の拡散コードが使用される。
【０００８】
拡散されたビットは、１ビットずつ順にコード多重される。コード多重後のビットは、拡散コードの第１チップ〜第Ｎチップにチップ毎に分割され、第１チップ〜第Ｎチップが、拡散率Ｎ分だけ用意されたＮ個のサブキャリアｆ１〜ｆ８にそれぞれ割り当てられる。これによりマルチキャリア信号が生成される。具体的には、時刻ｔ１では、サブキャリアｆ１にはコード多重された第１ビットの第１チップが割り当てられ、サブキャリアｆ８には符号分割多重された第１ビットの第８チップが割り当てられる。また、時刻ｔ６では、サブキャリアｆ１にはコード多重された第６ビットの第１チップが割り当てられ、サブキャリアｆ８には符号分割多重された第６ビットの第８チップが割り当てられる。よって、符号長がＭ＝６の場合は、時間の経過と共に合計６個のマルチキャリア信号が生成される。
【０００９】
【発明が解決しようとする課題】
このように、ＭＣ−ＣＤＭＡ方式にＭ−ａｒｙ処理を適用する場合に、上記従来の提案方法では、Ｍ−ａｒｙ処理後の符号語を通信相手毎に異なる拡散コードで拡散するため、通信相手の数だけ異なる種類の拡散コードが必要となる。よって、通信相手の数が多くなるほど拡散率が高くなってしまい、その結果、拡散コード間の直交性の崩れが大きくなり、拡散コード間で相互に与える干渉が大きくなってしまう。つまり、上記従来の提案方法では、通信相手の数が多くなるほど受信品質が劣化してしまう。
【００１０】
また、ある１つの通信相手に着目すると、Ｍ−ａｒｙ処理後の符号語に含まれる複数のビットに対しては同一の拡散コードが使用される。このため、符号長がＭの場合には、その符号語を送信するにはＭ個のマルチキャリア信号が必要となる。よって、符号長Ｍが大きくなるほど誤り率特性を向上させることができる反面、送信時間が長くかかってしまい、その結果、受信側ではデータの受信に遅延が大きく生じることとなる。リアルタイム性を要求されるようなデータ伝送（例えば、テレビ電話等）では、データの受信に生じる遅延は大きな問題となる。
【００１１】
本発明はかかる点に鑑みてなされたものであり、ＭＣ−ＣＤＭＡ方式にＭ−ａｒｙ処理を適用する場合に、拡散率を変化させることなく複数の通信相手を収容することを可能にするとともに、データの送信遅延を小さくすることができる無線送信装置および無線送信方法を提供することを目的とする。
【００１２】
【課題を解決するための手段】
本発明の無線送信装置は、周波数が互いに異なる複数のサブキャリアで構成されるマルチキャリア信号を送信する無線送信装置であって、送信データを複数のビットで構成される固定長の符号語に変換する変換手段と、前記符号語に含まれる前記複数のビットの各々を、前記複数のビットの各々に対応して異なり、かつ、複数の通信相手に対して共通の拡散コードで拡散する拡散手段と、拡散された前記複数のビットを通信相手毎に符号分割多重する多重手段と、符号分割多重された前記複数のビットをチップ毎に分割する分割手段と、分割された複数のチップの各々を前記サブキャリアの各々に割り当てて前記マルチキャリア信号を生成する生成手段と、生成されたマルチキャリア信号を送信する送信手段と、を具備する構成を採る。
【００１３】
この構成によれば、拡散コードの拡散率を固定することができるため、拡散率が高くなることによる拡散コード間の直交性の崩れを防止することができる。また、複数ビットの符号語を１つのマルチキャリア信号で送信することができるため、データの送信遅延を小さくすることができる。
【００１４】
本発明の無線通信基地局装置は、上記無線送信装置を搭載する構成を採る。
【００１５】
この構成によれば、上記同様の作用および効果を有する無線通信基地局装置を提供することができる。
【００１６】
本発明の無線送信方法は、周波数が互いに異なる複数のサブキャリアで構成されるマルチキャリア信号を送信する無線送信方法であって、送信データを複数のビットで構成される固定長の符号語に変換し、前記符号語に含まれる前記複数のビットの各々を、前記複数のビットの各々に対応して異なり、かつ、複数の通信相手に対して共通の拡散コードで拡散し、拡散した前記複数のビットを通信相手毎に符号分割多重し、符号分割多重した前記複数のビットをチップ毎に分割し、分割した複数のチップの各々を前記サブキャリアの各々に割り当てた前記マルチキャリア信号を送信するようにした。
【００１７】
この方法によれば、拡散コードの拡散率を固定することができるため、拡散率が高くなることによる拡散コード間の直交性の崩れを防止することができる。また、複数ビットの符号語を１つのマルチキャリア信号で送信することができるため、データの送信遅延を小さくすることができる。
【００１８】
【発明の実施の形態】
本発明の骨子は、Ｍ−ａｒｙ処理後の符号語に含まれる複数のビットの各々を、それら複数のビットの各々に対応して異なり、かつ、複数の通信相手に対して共通の拡散コードで拡散し、拡散したそれら複数のビットを通信相手毎にコード多重することである。
【００１９】
以下、本発明の実施の形態について図面を参照して詳細に説明する。図１は、本発明の一実施の形態に係る無線送信装置の構成を示すブロック図である。なお、以下の説明では、この無線送信装置の通信相手が通信相手＃１と通信相手＃２の２つである場合について説明する。
【００２０】
図１に示す無線送信装置は、Ｓ／Ｐ部１１および２１と、Ｍ−ａｒｙ符号化部１２および２２と、拡散部１３−１〜１３−Ｍおよび２３−１〜２３−Ｍと、コード多重部１４および２４と、ＩＦＦＴ部３１と、ＧＩ付加部３２と、送信ＲＦ部３３と、アンテナ３４とから構成される。
【００２１】
Ｓ／Ｐ部１１、Ｍ−ａｒｙ符号化部１２、拡散部１３−１〜１３−Ｍ、およびコード多重部１４は、通信相手＃１への送信データ＃１に対して処理を行う送信系＃１である。また、Ｓ／Ｐ部２１、Ｍ−ａｒｙ符号化部２２、拡散部２３−１〜２３−Ｍ、およびコード多重部２４は、通信相手＃２への送信データ＃２に対して処理を行う送信系＃２である。送信系＃１で行われる処理内容と送信系＃２で行われる処理内容はほぼ同一であるため、以下の説明では、同一部分については送信系＃１についてのみ説明し、送信系＃２についての説明は省略する。
【００２２】
Ｓ／Ｐ部１１は、入力端から直列に入力されるｍビットの送信データ＃１（すなわち、データ長ｍの送信データ＃１）を並列に変換してＭ−ａｒｙ符号化部１２に入力する。
【００２３】
Ｍ−ａｒｙ符号化部１２は、上記従来と同様にして、ｍビットの送信データ＃１をＭ系列のＭビットの符号語（ｍ＜Ｍ）に変換する。すなわち、ｍ＝４である場合には、図４に示すＭ−ａｒｙテーブルに基づいて、送信データ＃１を、対応するＭ＝１５ビットの固定長の符号語に変換する。符号長Ｍの符号語は、Ｍビット並列に拡散部１３−１〜１３−Ｍに入力される。
【００２４】
拡散部１３−１〜１３−Ｍは、Ｍ−ａｒｙ処理された符号語に含まれるＭビットの各々に対応して備えられ、符号語に含まれるＭビットの各々を拡散率Ｎの拡散符号で拡散する。拡散されたビットはそれぞれ、コード多重部１４に入力される。
【００２５】
このとき、拡散部１３−１〜１３−Ｍにおいて使用する拡散コードは互いに相違する。つまり、拡散部１３−１〜１３−Ｍにおいて使用する拡散コードは、符号語に含まれるＭビットの各々に対応して異なる。例えば、拡散部１３−１では１ビット目を拡散コード＃１で拡散し、拡散部１３−２では２ビット目を拡散コード＃２で拡散し、…、拡散部１３−ＭではＭビット目を拡散コード＃Ｍで拡散する。拡散部２３−１〜２３−Ｍにおいても同様である。
【００２６】
また、拡散部１３−１において使用する拡散コードと拡散部２３−１において使用する拡散コードとが同一である。同様に、拡散部１３−２において使用する拡散コードと拡散部２３−２において使用する拡散コードとが同一であり、…、拡散部１３−Ｍにおいて使用する拡散コードと拡散部２３−Ｍにおいて使用する拡散コードとが同一である。つまり、送信系＃１と送信系＃２とでは、同一の拡散コードを使用する。換言すれば、複数の通信相手に対して共通の拡散コードを使用する。
【００２７】
拡散部１３−１〜１３−Ｍから入力される各ビットはそれぞれ異なる拡散コードで拡散されているので、コード多重部１４は、入力されたＭビットすべてをコード多重する。そして、コード多重後のビットを拡散コードの第１チップ〜第Ｎチップにチップ毎に分割する。この分割により、１ビット目〜Ｍビット目の第１チップ目がすべて多重されたデータ、１ビット目〜Ｍビット目の第２チップ目がすべて多重されたデータ、…、１ビット目〜Ｍビット目の第Ｎチップ目がすべて多重されたデータが生成され、これらのデータがＮ個並列にＩＦＦＴ部３１に入力される。同様にして、コード多重部２４からも、チップ毎に分割されたデータがＮ個並列にＩＦＦＴ部３１に入力される。つまり、ＩＦＦＴ部３１には、通信相手毎にコード多重された後、チップ毎に分割されたデータが入力される。
【００２８】
ＩＦＦＴ部３１は、入力されたチップ毎のデータ（合計２×Ｎ個）に対してＩＦＦＴ（逆高速フーリエ変換）処理を施す。これにより、コード多重部１４およびコード多重部２４から入力されたチップ毎のデータの各々が、周波数が互いに異なる複数のサブキャリアの各々に割り当てられたマルチキャリア信号が生成される。よって、必要となるサブキャリア数Ｌは２×Ｎ本となる。生成されたマルチキャリア信号は、ＧＩ付加部３２に入力される。
【００２９】
ここでは、マルチキャリア伝送方式としてＯＦＤＭ（Orthogonal Frequency Division Multiplexing）方式を使用するため、ＩＦＦＴ処理を行う。ＯＦＤＭ方式とはマルチキャリア伝送方式の一種であり、マルチキャリア信号（ＯＦＤＭ方式で生成されるマルチキャリア信号を特にＯＦＤＭ信号という）を構成する複数のサブキャリアが互いに直交関係にある方式である。このようにＯＦＤＭ方式では複数のサブキャリアが相互に直交しているので、ＯＦＤＭ方式を使用することにより、各サブキャリアのスペクトルを重ねることができる。その結果、周波数利用効率を向上させることができる。
【００３０】
ＧＩ付加部３２は、マルチキャリア信号の先頭にガードインターバルを付加して送信ＲＦ部３３に入力する。ガードインターバルは、マルチキャリア信号が遅延波の影響を受けにくくするために付加されるものである。
【００３１】
送信ＲＦ部３３は、ＧＩ付加部３２から入力されるマルチキャリア信号に対して所定の無線処理（Ｄ／Ａ変換やアップコンバート等）を施した後、マルチキャリア信号をアンテナ３４を介して図２に示す無線受信装置に送信する。
【００３２】
図２は、本発明の一実施の形態に係る無線受信装置の構成を示すブロック図である。なお、以下の説明では、通信相手＃１の無線受信装置について説明する。なお、通信相手＃２の無線受信装置も同様の構成を採る。
【００３３】
図２に示す無線受信装置は、アンテナ４１と、受信ＲＦ部４２と、ＧＩ除去部４３と、ＦＦＴ部４４と、選択部４５と、逆拡散部４６−１〜４６−Ｍと、Ｍ−ａｒｙ復号部４７と、Ｐ／Ｓ部４８とから構成される。
【００３４】
受信ＲＦ部４２は、アンテナ４１を介して受信されるマルチキャリア信号に対して所定の無線処理（ダウンコンバートやＡ／Ｄ変換等）を施す。
【００３５】
ＧＩ除去部４３は、受信ＲＦ部４２から入力されたマルチキャリア信号に付加されているガードインターバルを除去する。
【００３６】
ＦＦＴ部４４は、ＧＩ除去部４３から入力されたマルチキャリア信号に対してＦＦＴ（高速フーリエ変換）処理を施す。これにより、マルチキャリア信号がサブキャリア毎の複数のデータに分割される。すなわち、合計Ｌ＝２×Ｎ個のチップ毎のデータに分割される。チップ毎に分割されたデータは並列に選択部４５に入力される。
【００３７】
２×Ｎ個のチップ毎のデータのうち半数は通信相手＃１へのデータである。また、通信相手＃１では、予めの取り決めにより、または、無線送信装置からの通知により、自分宛てのデータがＬ本のサブキャリアのうちどのサブキャリアに割り当てられているかを知っている。よって、選択部４５は、ＦＦＴ部４４から入力されたチップ毎のデータのうち通信相手＃１宛てのＮ個のデータを選択し、逆拡散部４６−１〜４６−Ｍに入力する。
【００３８】
逆拡散部４６−１〜４６−Ｍは、Ｍ−ａｒｙ処理された符号語に含まれるＭビットの各々に対応して備えられる。ここで、例えば、符号語の１ビット目は第１チップ目のデータ〜第Ｎチップ目のデータに分割されて含まれている。そこで、逆拡散部４６−１は、選択部４５から入力されたＮ個のチップ毎のデータを合成した後、図１に示す無線送信装置の拡散部１３−１において使用された拡散コードと同一の拡散コードで逆拡散する。これにより、Ｍ−ａｒｙ処理された符号語に含まれるＭビットのうち第１ビットが得られる。同様に、逆拡散部４６−２は、Ｎ個のチップ毎のデータを合成した後、拡散部１３−２において使用された拡散コードと同一の拡散コードで逆拡散し、…、逆拡散部４６−Ｍは、Ｎ個のチップ毎のデータを合成した後、拡散部１３−Ｍにおいて使用された拡散コードと同一の拡散コードで逆拡散する。これらの逆拡散処理により、Ｍ−ａｒｙ処理された符号語に含まれるすべてのビット（Ｍ＝１５ビット）が得られる。符号長Ｍの符号語は、Ｍビット並列にＭ−ａｒｙ復号部４７に入力される。
【００３９】
Ｍ−ａｒｙ復号部４７は、図１に示す無線送信装置のＭ−ａｒｙ符号化部１２と逆の変換を行う。すなわち、図４に示すＭ−ａｒｙテーブルに基づいて、逆拡散部４６−１〜４６−Ｍから入力されたＭビットの符号語をｍビットのデータ（ｍ＜Ｍ）に変換する。変換後のデータ（すなわち、データ長ｍのデータ）は、ｍビット並列にＰ／Ｓ部４８に入力される。
【００４０】
Ｐ／Ｓ部４８は、Ｍ−ａｒｙ復号部４７から並列に入力されるｍビットのデータを直列に変換する。これにより、送信データ＃１と同一の受信データ＃１が得られる。
【００４１】
次いで、上記構成を有する無線送信装置の動作について説明する。図３は、本発明の一実施の形態に係る無線送信装置の送信手順を示す図である。なお、ここでは、説明の便宜上、ｍ＝３ビットの送信データをＭ＝６ビットの符号語に変換するＭ−ａｒｙ処理を例に挙げて説明する。また、通信相手＃１への送信データ＃１と通信相手＃２への送信データ＃２の２つのデータを１つのマルチキャリア信号に含めて送信する場合について説明する。
【００４２】
図３に示すように、送信データ＃１は送信系＃１において、送信データ＃２は送信系＃２において各々Ｍ−ａｒｙ処理されて、Ｍ＝６ビットの固定長の符号語に変換される。
【００４３】
次いで、各送信系において、符号語に含まれる６ビットが並列に周波数軸方向に拡散される。このとき、符号語に含まれる６ビットの各々に対して使用する拡散コードは互いに相違する。但し、拡散率Ｎ＝８は同一である。また、送信系＃１において使用する（すなわち、通信相手＃１に対して使用する）６個の拡散コードと、送信系＃２において使用する（すなわち、通信相手＃２に対して使用する）６個の拡散コードとは同じ拡散コードである。つまり、これらの拡散コードは、符号語に含まれる複数のビットの各々に対応して異なり、かつ、複数の通信相手に対して共通の拡散コードである。
【００４４】
次いで、拡散されたビットが各送信系においてそれぞれコード多重される。つまり、通信相手毎にコード多重される。コード多重後のビットは、拡散コードの第１チップ〜第Ｎチップにチップ毎に分割される。
【００４５】
そして、通信相手＃１に対する８個のチップ毎のデータがそれぞれ、サブキャリアｆ９〜ｆ１６に割り当てられ、通信相手＃２に対する８個のチップ毎のデータがそれぞれ、サブキャリアｆ１〜ｆ８に割り当てられる。これにより、送信データ＃１および送信データ＃２を１つのマルチキャリア信号に含めて送信することができる。つまり、符号長がＭ＝６の場合、上記従来の提案方法において時刻ｔ１〜ｔ６で送信していたデータを、本実施の形態では、時刻ｔ１ですべて送信することができる。
【００４６】
このように本実施の形態によれば、必要となる拡散コードの種類は、Ｍ−ａｒｙ処理後の符号語の符号長にだけ依存し、通信相手の数には依存しない。また、符号語の符号長は固定であるため、必要となる拡散コードの種類を通信相手の数にかかわらず固定することができる。つまり、通信相手の数が増えても拡散コードの種類を増やす必要がない。また、使用する拡散コードの種類を多くするには拡散率を高める必要があるが、本実施の形態では、必要となる拡散コードの種類を固定することができるため、拡散率を固定することができる。例えば、符号長が１５ビットの場合、拡散率を１６に固定することができる。よって、拡散率が高くなることによる拡散コード間の直交性の崩れを防止することができ、その結果、通信相手の数が多くなった場合の受信品質の劣化を防止することができる。
【００４７】
また、本実施の形態によれば、通信相手の数にかかわらず拡散率を固定することができるので、フェージング環境に応じて最も性能のよい拡散率を選択して送信することができる。これにより受信品質を向上させることができる。
【００４８】
また、Ｍ−ａｒｙ処理後の符号語の符号長は、通常１５ビット以上と比較的長い。しかし、本実施の形態によれば、送信時間は符号長に依存しなくなり、複数ビットの符号語を１つのマルチキャリア信号で送信することができる。よって、符号長にかかわらず、データの送信遅延を小さくすることができる。
【００４９】
なお、本発明の無線送信装置は、移動体通信システム等で使用される無線通信基地局装置に用いて好適である。本発明の無線送信装置を無線通信基地局装置に搭載することにより、上記同様の作用および効果を有する無線通信基地局装置を提供することができる。
【００５０】
【発明の効果】
以上説明したように、本発明によれば、ＭＣ−ＣＤＭＡ方式にＭ−ａｒｙ処理を適用する場合に、拡散率を変化させることなく複数の通信相手を収容することを可能にするとともに、データの送信遅延を小さくすることができる。
【図面の簡単な説明】
【図１】本発明の一実施の形態に係る無線送信装置の構成を示すブロック図
【図２】本発明の一実施の形態に係る無線受信装置の構成を示すブロック図
【図３】本発明の一実施の形態に係る無線送信装置の送信手順を示す図
【図４】Ｍ−ａｒｙテーブル
【図５】ＭＣ−ＣＤＭＡ方式にＭ−ａｒｙ処理を適用した場合の、従来の送信手順を示す図
【符号の説明】
１１、２１  Ｓ／Ｐ部
１２、２２  Ｍ−ａｒｙ符号化部
１３−１〜１３−Ｍ、２３−１〜２３−Ｍ  拡散部
１４、２４  コード多重部
３１  ＩＦＦＴ部
３２  ＧＩ付加部
３３  送信ＲＦ部
３４、４１  アンテナ
４２  受信ＲＦ部
４３  ＧＩ除去部
４４  ＦＦＴ部
４５  選択部
４６−１〜４６−Ｍ  逆拡散部
４７  Ｍ−ａｒｙ復号部
４８  Ｐ／Ｓ部
【図１】
0003881919.tif 000002
【図２】
0003881919.tif 000003
【図３】
0003881919.tif 000004
【図４】
0003881919.tif 000005
【図５】
0003881919.tif 000006